(57)【要約】  【課題】データが記録されているディスクが回転することにより発生する風切り音を、ディスクドライブユニット内の空気を排気することにより、風切り音を低減可能なディスクドライブユニットを提供することを目的とする。  【解決手段】  ディスクトレイ３に記録ディスク１０を載置して、ユニット筐体２の内部に収容した場合、記録ディスク１０からのデータ読取時又は記録ディスク１０に対するデータの書込時には、記録ディスク１０はスピンドルモータ１７により高速回転する。それに連動して、ユニット筐体２内部に存在する空気を排気する排気ポンプ５の運転を開始することで、データ読取・書込時に発生する風切り音を低減する。  【選択図】  図６
2006127676.tif 000002
【特許請求の範囲】
【請求項１】
データが記録された記録媒体を載置する載置トレイと、
前記記録媒体からデータの再生を行うデータ読取手段と、
前記載置トレイが内部に収容される本体筐体と、
前記本体筐体の内部の空気を外部に排気する排気手段と、を有することを特徴とするディスクドライブユニット。
【請求項２】
前記請求項１に記載のディスクドライブユニットにおいて、
前記データ読取手段は、前記記録媒体にデータを書き込むデータ書込機能を有することを特徴とするディスクドライブユニット。
【発明の詳細な説明】
【技術分野】
【０００１】
データが記録されているディスクからデータを記録、再生するディスクドライブユニットに関し、データの記録、再生時に、前記ディスクが回転することにより発生する風切り音を低減するディスクドライブユニットに関するものである。
【背景技術】
【０００２】
近年、情報技術の発達に伴い、ＣＤ−ＲＯＭやＤＶＤ−ＲＯＭに対して、データの記録、再生が可能なディスクドライブユニットが広く普及している。また、このようなディスクドライブユニットは、データの記録、再生速度を上げるために、ディスクの回転速度の倍速化が進んでいる。ディスクの回転速度の倍速化が進むことにより、ディスクに対するデータの記録、再生速度が上昇し、コンピュータを応答性良く操作できるようになる。
しかし、ディスクの回転速度が上がることにより、ディスクの回転に伴う風切り音が発生するという問題点があった。この風切り音は、ディスクの回転速度の上昇に伴い、大きな音となるので、ディスクドライブユニットの高性能化が進むことにより、大きな問題となる可能性がある。
【０００３】
特許文献１には、トレイに軟性樹脂等の弾性体を取り付けたディスク再生装置が記載されている。このディスク再生装置は、トレイが出し入れされる開口部を有し、トレイをディスク再生装置の内部に収容した際には、トレイと、開口部との間に発生する空間に対して、弾性体が位置するように構成したディスク再生装置である。
【特許文献１】特開２００４−０８６９３９号公報
【発明の開示】
【発明が解決しようとする課題】
【０００４】
しかしながら、特許文献１に記載のディスクドライブユニットでは、トレイは開口部との間を、弾性体により隙間無く接するように付勢されるので、開口部からの風切り音の漏れは低減することができるが、その他の部分からは漏れてしまうという問題点があった。
【０００５】
本発明は、前記従来の問題点を解決するためになされたものであり、データが記録されているディスクが回転することにより発生する風切り音を、ディスクドライブユニット内の空気を排気することにより、風切り音を低減可能なディスクドライブユニットを提供することを目的とする。
【課題を解決するための手段】
【０００６】
前記目的を達成するため、請求項１に係るディスクドライブユニット（例えば、ディスクドライブユニット１）は、データが記録された記録媒体（例えば、記録ディスク１０）を載置する載置トレイ（例えば、ディスクトレイ３）と、前記記録媒体からデータの再生を行うデータ読取手段（例えば、読取ヘッド１６）と、前記載置トレイが内部に収容される本体筐体（例えば、ユニット筐体２）と、前記本体筐体の内部の空気を外部に排気する排気手段（例えば、排気ポンプ５）と、を有することを特徴とする。
【０００７】
また、請求項２に係るディスクドライブユニット（例えば、ディスクドライブユニット１）は、請求項１に記載のディスクドライブユニット（例えば、ディスクドライブユニット１）において、前記データ読取手段（例えば、読取ヘッド１６）は、前記記録媒体（例えば、記録ディスク１０）にデータを書き込むデータ書込機能を有することを特徴とする。
【発明の効果】
【０００８】
即ち、請求項１に記載の発明に係るディスクドライブユニットは、本体筐体の内部に載置トレイが収容され、載置トレイ上の記録媒体からデータを読み取る際に、排気手段を運転し、本体筐体の内部に存在する空気を本体筐体の外部へと排気する。前記載置トレイが本体筐体内に収容されると、載置トレイ上の記録媒体が回転し、データの読込が行われる。この際、筐体内に存在する音の伝達媒体である空気は、排気手段により外部へと排気され、本体筐体内に存在する空気量が減少する。従って、音の伝達媒体が減少するので、記録媒体の回転に伴い発生する風切り音を低減することができる。
【０００９】
また、請求項２に記載の発明に係るディスクドライブユニットは、載置トレイ上の記録媒体からデータを読み取る際と同様に、記録媒体にデータを書き込む際にも、排気手段を運転し、本体筐体の内部に存在する空気を本体筐体の外部へと排気する。従って、記録媒体へのデータの書込時に、載置トレイ上の記録媒体の回転により発生する風切り音も低減することができる。
【発明を実施するための最良の形態】
【００１０】
［第１実施形態］
以下、本発明に係るディスクドライブユニット１を具体化した実施形態について図面を参照しつつ詳細に説明する。
先ず、図１に示すように、本実施形態に係るディスクドライブユニット１は、コンピュータ５０に配設されて使用される。コンピュータ５０は、コンピュータ本体５１と、モニタ５２、キーボード５３等で構成されている。即ち、ディスクドライブユニット１は、コンピュータ本体５１に配設されている。コンピュータ本体５１には、ユニット筐体２とユニット筐体２に接続される排気ポンプ５で構成されるディスクドライブユニット１と、モニタ５２、キーボード５３等の制御を行う制御回路５４とが内蔵されている。
モニタ５２は、制御回路５４からの指令に基づき、文字や画像を表示する装置である。キーボード５３は、制御回路５４に対する指令を入力する入力手段として機能する。ここで、コンピュータ５０には、キーボード５３のみではなく、マウス等の種々の入力装置がコンピュータ５０に対する入力手段として接続可能である。
【００１１】
そして、コンピュータ本体５１には、ディスクドライブユニット１と、制御回路５４とが配設されている（図５参照）。制御回路５４は、ＣＰＵ５５と、ＲＯＭ５６と、ＲＡＭ５７とで構成されており、コンピュータ５０に関する制御を行う回路である。
ＲＯＭ５６には、コンピュータ５０の各種制御プログラム及びデータが格納されると共に、後述するディスクドライブユニット１の制御プログラムが格納されている。また、ＲＡＭ５７には、コンピュータ５０の制御プログラム等を実行する際に、一時的にデータを格納する記憶手段である。
一方、ＣＰＵ５５は、ＲＯＭ５６に格納されている各種制御プログラムや、ディスクドライブユニット１にかかる制御プログラムを実行し、コンピュータ５０の制御を司る。従って、後述するディスクドライブユニット１の制御プログラム（図６参照）は、ＣＰＵ５５により実行される。
【００１２】
ここで、本実施形態に係るディスクドライブユニット１について、図２乃至図４を参照しつつ説明する。
本実施形態に係るディスクドライブユニット１は、ユニット筐体２、ディスクトレイ３、駆動部４及び排気ポンプ５により構成されている。
ユニット筐体２は、箱型に形成された筐体であり、内部に駆動部４が配設されている。また、図２、図３に示すように、ユニット筐体２の前面には、ディスクトレイ３が前後移動する開口部６が形成され、その下方には、ディスクトレイ３の前後移動にかかる信号をＣＰＵ５５に発信するトレイ開閉スイッチ７が配設されている。
一方、ユニット筐体２の後部には、排気ポンプ５が気送管８を介して接続され、この排気ポンプ５の吸込口５ａは、ユニット筐体２の内部に形成される空間と連通されている。また、記録ディスク１０から読み取ったデータやディスクドライブユニット１から発信される信号及びコンピュータ５０から発信される信号を伝達するとともに、ディスクドライブユニット１の駆動部４に電源を供給する接続コード２０がユニット筐体２の後部に配設されている。更に、ユニット筐体２の後部には、ＣＰＵ５５からの排気ポンプ駆動・停止信号に基づいて、排気ポンプ５に電源の供給を行う電源コード２１が配設されている。
【００１３】
そして、ディスクトレイ３は、ユニット筐体２の内部に、例えば、記録媒体である記録ディスク１０（例えば、ＣＤ−ＲＯＭ（登録商標）等）を案内する部材である。また、ディスクトレイ３は、ユニット筐体２に配設されたトレイ開閉スイッチ７の入力に基づいて、駆動部４に配設されたトレイ開閉用モータを駆動することで、ユニット筐体２の開口部６を介して、前後に移動する。
図３に示すように、ディスクトレイ３は、記録ディスク１０が載置可能な載置部１１を有して形成されている。また、ディスクトレイ３の前側部分には、鍔状に形成された前側パネル部１２が形成されており、この前側パネル部１２の外周部分が、開口部６の前側の開口縁と当接する。
また、図３、図４に示すように、ディスクトレイ３の前側パネル部１２と密着するパッキン１３が、開口部６の開口縁全周にわたって配設されているので、ディスクトレイ３がユニット筐体２の内部に収容された状態（以後、閉状態という。）においては、ユニット筐体２の内部の空間を気密性のよい空間とすることができる。
【００１４】
ユニット筐体２の内部には、駆動部４が配設されている。この駆動部４は、読取ヘッド１６、スピンドルモータ１７、ユニット制御回路１８、トレイ開閉用モータ、トラッキングモータ、スクリューで構成されている。
スピンドルモータ１７は、ＣＤ−ＲＯＭ（登録商標）等の記録ディスク１０からデータを読み取る際に、記録ディスク１０を回転させるためのモータである。そして、読取ヘッド１６は、レーザー光を発射し、記録ディスク１０の記録面からの反射光に基づいて、記録ディスク１０の表面に形成された凹凸を光学的に読み取る部分である。スクリューは、記録ディスク１０の記録面の中心方向且つ平行に配設されており、このスクリューが回転することにより、読取ヘッド１６の記録ディスク１０に対する位置が変更される。そして、トラッキングモータは、スクリューを回転するためのモータである。従って、読取ヘッド１６の位置は、トラッキングモータの駆動制御を行うことにより、スクリューの回転量、つまり、記録ディスク１０に対する位置関係が制御される。トラッキングモータとスクリューが協働することにより、コンピュータ５０で指示されたデータを読み取ることができる。
【００１５】
そして、トレイ開閉用モータは、ディスクトレイ３の開閉動作を行うためのモータである。トレイ開閉スイッチ７が入力されることにより、トレイ開閉用モータの正逆回転駆動が開始される。従って、ディスクトレイ３が閉状態にある場合には、トレイ開閉スイッチ７が入力されることにより、トレイ開閉用モータは正回転を開始する。これにより、ディスクトレイ３は、前方に移動し、記録ディスク１０を載置可能な状態（以後、開状態という）になる。一方、ディスクトレイ３が開状態にある場合には、トレイ開閉スイッチ７の入力に伴い、トレイ開閉用モータが逆回転で駆動開始する。この場合、ディスクトレイ３は、ユニット筐体２の内部に収容されるように移動し、閉状態となる。
【００１６】
ユニット制御回路１８は、ディスクドライブユニット１の各種制御にかかる信号を発信、受信する回路である。上述した駆動部４に配設されている読取ヘッド１６、スピンドルモータ１７、トレイ開閉用モータ等の駆動信号及び停止信号が発信、受信される。例えば、ディスクトレイ３が閉状態にある場合に、トレイ開閉スイッチ７が入力された際には、ディスクトレイ３を開状態にする信号をコンピュータ５０のＣＰＵ５５に発信する。一方、コンピュータ５０は、受信した信号に基づいて、トレイ開閉用モータの駆動信号をユニット制御回路１８に発信する。この結果、トレイ開閉用モータは正回転で駆動を開始し、ディスクトレイ３は開状態となる。
また、ユニット制御回路１８は、読取ヘッド１６で読み取られたデータをコンピュータ５０に送信する機能も果たしている。
【００１７】
次に、ディスクドライブユニット１の後部において、気送管８を介して接続される排気ポンプ５について、説明する。
排気ポンプ５は、吸込口５ａと、排気口５ｂを有しており、気送管８を介して、吸込口５ａからユニット筐体２の内部に存在する空気を吸い込み、排気口５ｂから外部へと排気する装置である。また、排気ポンプ５は、コンピュータ本体５１の内部に配設され、排気口５ｂから排気された空気は、コンピュータ本体５１の外部へと排出される。
尚、排気ポンプ５は、コンピュータ本体５１の外部に配設することも可能であるが、本実施形態のように、コンピュータ本体５１の内部に配設可能な小型のものが望ましい。
このようなコンピュータ本体５１の内部に配設可能な小型の排気ポンプとしては、ダイアフラム型ドライ真空ポンプが挙げられる。ダイアフラム型ドライ真空ポンプは、偏芯回転軸に固定されたステムに取り付けられたダイアフラムが移動することにより、気体の吸込、排気を行う真空ポンプである。また、ダイアフラム型ドライ真空ポンプは、油や液体を使用しない機械式真空ポンプであるので、排気に油蒸気等が含まれず、コンピュータ本体５１の内部に悪影響を及ぼすことがない。
【００１８】
尚、本実施形態に係る排気ポンプ５は、ダイアフラム型ドライ真空ポンプのような、所謂、真空ポンプに限定するものではない。即ち、ユニット筐体２の内部に存在する空気を外部に排出することができればよく、例えば、排気ファンなどを用いても良い。
【００１９】
ここで、本実施形態に係るディスクドライブユニット１と、コンピュータ５０との間で行われる制御について、図５、図６を参照しつつ説明する。図５は、本実施形態に係るディスクドライブユニット１とコンピュータ５０で実行される制御系のブロック図である。図６は、排気ポンプ５の駆動、停止に関する制御プログラムを示すフローチャートである。
図６に示す制御プログラムは、トレイ開閉スイッチ７を入力して開状態となったディスクトレイ３に記録ディスク１０を載置し、再度、ユニット筐体２にディスクトレイ３を収容することにより実行される。つまり、記録ディスク１０の読込処理が開始されると同時に、図６に示す制御プログラムも実行される。
【００２０】
図６に示すように、排気ポンプ５の駆動・停止制御プログラムが実行されると、先ず、ＣＰＵ５５は、ディスクトレイ３上に記録ディスク１０が存在するか否かにかかわらず、記録ディスク１０に記憶されているデータを読取ヘッド１６により読み取るべく、読取ヘッド１６にデータ読取信号を発信する。ユニット制御回路１８を介して、データ読取信号を受信した読取ヘッド１６は、記録ディスク１０の読み取りを開始する（Ｓ１）。
次に、読取ヘッド１６で実行された読取処理の結果に基づいて、ディスクトレイ３上に記録ディスク１０が存在するか否かが判断される（Ｓ２）。つまり、Ｓ１では、読取ヘッド１６から記録ディスク１０の記録面に対して、レーザー光が発射され、Ｓ２では、そのレーザー光の反射光を認識することができるか否かにより、記録ディスク１０の有無が判断される。
【００２１】
Ｓ２において、ディスクトレイ３上に記録ディスク１０が存在すると判断された場合（Ｓ２：ＹＥＳ）には、Ｓ４に移行する。一方、Ｓ２において、ディスクトレイ３上に記録ディスク１０が存在しないと判断された場合（Ｓ２：ＮＯ）には、読取ヘッド１６で読み取るべき記録ディスク１０がディスクトレイ３上に存在していないのであるから、読取処理を終了し（Ｓ３）、当該制御プログラムを終了する。
【００２２】
ディスクトレイ３上に記録ディスク１０が存在すると判断された場合（Ｓ２：ＹＥＳ）には、ディスクトレイ３上に記録ディスク１０が存在するので、読取ヘッド１６により記録ディスク１０の記録面から読み取られたデータがＣＰＵ５５に送られる。そして、ＣＰＵ５５は、当該データを受信すると、排気ポンプ５を駆動させる駆動信号をユニット制御回路１８に対して発信し、排気ポンプ５の運転を開始する（Ｓ４）。即ち、記録ディスク１０からデータが読み取られたことを条件に、排気ポンプ５の運転が開始される。
【００２３】
そして、Ｓ５においては、トレイ開閉スイッチ７が操作されたか否かについての判断がなされる。トレイ開閉スイッチ７が操作された場合（Ｓ５：ＹＥＳ）には、Ｓ６に移行し、現在、記録ディスク１０に対し、読取ヘッド１６による読取処理が実行されているかの判断がなされる（Ｓ６）。一方、トレイ開閉スイッチ７が操作されていない場合（Ｓ５：ＮＯ）には、トレイ開閉スイッチ７が操作されるまで処理を待機する。このとき、排気ポンプ５の運転は継続されている。
【００２４】
トレイ開閉スイッチ７が操作された際に、読取ヘッド１６による読取処理が実行されている場合（Ｓ６：ＹＥＳ）には、先ず、当該読取処理を終了する（Ｓ７）。そして、読取ヘッド１６による読取処理を終了した後、ＣＰＵ５５は、ユニット制御回路１８に対して、排気ポンプ５の運転停止信号を発信し、排気ポンプ５の運転を停止する（Ｓ８）。一方、トレイ開閉スイッチ７が操作された際に、読取ヘッド１６による読取処理が実行されていない場合、即ち、トレイ開閉スイッチ７が操作された時点で、記録ディスク１０の記憶されているデータの読取が終了している場合（Ｓ６：ＮＯ）には、そのまま、Ｓ８に移行する。そして、Ｓ８においては、ＣＰＵ５５は、ユニット制御回路１８に対して、排気ポンプ５の運転停止信号を発信し、排気ポンプ５の運転を停止する（Ｓ８）。
その後、排気ポンプ５の運転停止後、ＣＰＵ５５は、所定時間の経過を待って、ディスクトレイ３を開状態にする。
【００２５】
［第２実施形態］
ここで、前述した第１実施形態とは異なる実施形態について説明する。第２実施形態に係るディスクドライブユニット１は、基本的な構成、実行されるメインプログラム、記録ディスク１０からのデータ読取時における排気ポンプの運転・停止制御プログラムは、第１実施形態で説明したものと同様である。第２実施形態に係るディスクドライブユニット１は、読取ヘッド１６が記録ディスク１０に対するデータ書込機能を有していること、データ書込時における排気ポンプの運転制御プログラムが存在することの２点が異なる。
第１実施形態に係るディスクドライブユニットでは、記録ディスク１０からのデータを読み込む際にのみ、排気ポンプ５の運転・停止制御を行っていたが、第２実施形態においては、更に、記録ディスク１０に対して、データを書き込む際にも、排気ポンプ５の運転・停止制御を実行する点で相違する。
【００２６】
第２実施形態に係るディスクドライブユニット１に配設された読取ヘッド１６は、データの書込み可能な記録媒体（例えば、ＣＤ−Ｒ（登録商標）やＣＤ−ＲＷ（登録商標）等）に対して、データを書き込むデータ書込機能を有している。
即ち、読取ヘッド１６は、前述したように、記録ディスク１０の記録面にレーザー光を照射し、記録ディスク１０の記録面からの反射光に基づいて、記録ディスク１０の表面に形成された凹凸を光学的に読み取るとともに、データの書込みが可能な記録媒体に対しては、強いレーザー光を照射することにより、記録媒体に形成された記録膜を熱し、記録膜に化学変化を起こすことでデータを記録する部分である。
【００２７】
次に、第２実施形態に係るディスクドライブユニット１で実行される排気ポンプ５の運転・停止制御プログラムについて、図８を参照して、詳細に説明する。図８は、第２実施形態に係るディスクドライブユニット１で実行される排気ポンプの運転・停止制御プログラムである。
この第２実施形態において、ディスクトレイ３に記録ディスク１０を載置するとともに、コンピュータ５０において記録ディスク１０にデータを記録するためのライティングソフトを実行することにより、記録ディスク１０の記録面にデータが記録されるように構成されている。
【００２８】
前述した第１実施形態と同様に、記録ディスク１０がディスクトレイ３上に載置され、ユニット筐体２の内部に収容されると、排気ポンプ５の運転・停止制御プログラムが開始される。先ず、Ｓ１０において、記録ディスク１０からのデータの読込が開始される。
次に、読取ヘッド１６で実行された読取処理の結果に基づいて、ディスクトレイ３上に記録ディスク１０が存在するか否かが判断される（Ｓ１１）。つまり、Ｓ１０では、読取ヘッド１６から記録ディスク１０の記録面に対して、レーザー光が発射され、Ｓ１１では、そのレーザー光の反射光を認識することができたか否かにより、記録ディスク１０の有無が判断される。
【００２９】
Ｓ１１において、ディスクトレイ３上に記録ディスク１０が存在すると判断された場合（Ｓ１１：ＹＥＳ）には、Ｓ１３に移行する。一方、Ｓ１１において、ディスクトレイ３上に記録ディスク１０が存在しないと判断された場合（Ｓ１１：ＮＯ）には、読取ヘッド１６による読込、書込処理の対象となる記録ディスク１０がディスクトレイ３上に存在していないのであるから、読取処理を終了し（Ｓ１２）、当該制御プログラムを終了する。
【００３０】
ディスクトレイ３上に記録ディスク１０が存在すると判断された場合（Ｓ１１：ＹＥＳ）には、ディスクトレイ３上に記録ディスク１０が存在するので、ＣＰＵ５５は、当該データを受信すると、排気ポンプ５を駆動させる駆動信号をユニット制御回路１８に対して発信し、排気ポンプ５の運転を開始する（Ｓ１３）。
【００３１】
そして、Ｓ１４においては、記録ディスク１０に対してデータの書込を行うか否かの判断がなされる。一般的に記録ディスク１０に対するデータの書込は、コンピュータ５０でライティングソフトを実行することにより行われる。従って、Ｓ１４では、コンピュータ５０において、ライティングソフトが起動しているか否かに基づいて判断される。データの書込を行う場合（Ｓ１４：ＹＥＳ）には、Ｓ１８に移行する。
【００３２】
一方、データの書込を行わない場合（Ｓ１４：ＮＯ）、つまり、データの読取が行われる場合には、データの読取処理を実行する。そして、データの読取中にトレイ開閉スイッチ７が操作されたか否かについての判断がなされ（Ｓ１５）、トレイ開閉スイッチ７が操作された場合（Ｓ１５：ＹＥＳ）には、Ｓ１６に移行する。一方、トレイ開閉スイッチ７が操作されない場合（Ｓ１５：ＮＯ）には、処理を待機する。
トレイ開閉スイッチ７が操作された場合（Ｓ１５：ＹＥＳ）には、記録ディスク１０からのデータの読取処理が実行中であるか否かの判断がなされ、データの読取が実行中である場合（Ｓ１６：ＹＥＳ）には、記録ディスク１０からのデータの読取を終了し（Ｓ１７）、Ｓ２０に移行する。一方、記録ディスク１０の読取が実行中ではない場合（Ｓ１６：ＮＯ）は、データの読取が終了している場合となり、そのまま、Ｓ２０に移行する。
【００３３】
そして、データの書込を行うと判断された場合（Ｓ１４：ＹＥＳ）に移行するＳ１８では、記録ディスク１０に対してデータの書込が開始されたか否かの判断がなされる。ここで、データの書込が開始されたか否かの判断は、コンピュータ５０からディスクドライブユニット１に対して、データが送られてきたことに基づいて判断される。記録ディスク１０に対するデータの書込が開始された場合（Ｓ１８：ＹＥＳ）には、Ｓ１９に移行する。一方、記録ディスク１０に対するデータの書込が開始されていない場合（Ｓ１８：ＮＯ）には、データの書込が開始されるまで、処理を待機する。
【００３４】
記録ディスク１０に対するデータの書込が開始された後、Ｓ１９では、記録ディスク１０に対するデータの書込処理が終了したか否かの判断がなされる。ディスクドライブユニット１がデータ書込処理を終了している場合（Ｓ１９：ＹＥＳ）には、Ｓ２０に移行する。一方、ディスクドライブユニット１が、記録ディスク１０に対するデータの書込処理を終了していない場合（Ｓ１９：ＮＯ）には、データの書込処理が終了するまで、処理を待機する。
【００３５】
そして、記録ディスク１０からのデータの読取処理の終了している場合（Ｓ１６：ＮＯ、Ｓ１７）、又は、記録ディスク１０に対するデータの書込処理が終了している場合（Ｓ１９：ＹＥＳ）に移行するＳ２０では、排気ポンプ５の運転を停止する。排気ポンプ５の運転を停止した後、排気ポンプ５の運転・停止制御プログラムを終了する。
排気ポンプ５の運転停止後、ＣＰＵ５５は、所定時間の経過を待って、ディスクトレイ３を開状態にする。
【００３６】
以上、説明したように、本実施形態に係るディスクドライブユニット１は、記録ディスク１０の読取処理又は、書込処理が実行されている間、ユニット筐体２の内部に存在する空気を、外部に排気ポンプ５により排気する。従って、ユニット筐体２の内部に、音の伝達媒体である空気の量が減少するので、ユニット筐体２の内部から発生する音は、外部に伝達されなくなる。
即ち、ユニット筐体２の内部から空気を排気することにより、記録ディスク１０の読取処理や書込処理中に、記録ディスク１０が高速回転することにより発生する風切り音を、低減することができる。
【００３７】
尚、本発明は前記実施形態に限定されるものではなく、本発明の要旨を逸脱しない範囲内で種々の改良、変形が可能である。
例えば、本実施形態においては、コンピュータ５０等に内蔵されるディスクドライブユニットを例示して説明しているが、内蔵型のディスクドライブユニットに限定するものではなく、コンピュータの外部から接続する、所謂外付け型のディスクドライブユニットであってもよい。
【００３８】
また、本実施形態においては、ディスクドライブユニットで使用される記録媒体を、コンパクトディスクを基とする記録ディスクとして説明したが、ＤＶＤ−ＲＯＭ（登録商標）や、ＤＶＤ−Ｒ（登録商標）であってもよい。尚、読取・書込兼用のヘッドを用いた場合には、ＤＶＤ−ＲＷ（登録商標）を記録媒体として用いても良いのはもちろんである。
【００３９】
そして、本実施形態における排気ポンプ５は、いわゆる真空ポンプに限定したものではなく、排気ファンでもよく、ユニット筐体２の内部に存在する空気を外部へ排気することのできる装置であれば良い。
排気ポンプ５は、気送管８を介してユニット筐体２の内部の空間と連通しているが、気送管８を介さずに、ユニット筐体２と排気ポンプ５が直接連通する態様としても良い。この場合、図７に示すように、排気ポンプ５は、より小型のものが望ましい。
【図面の簡単な説明】
【００４０】
【図１】本実施形態に係るディスクドライブユニットが配設されるコンピュータの外観図である。
【図２】本実施形態に係るディスクドライブユニットの外観斜視図である。
【図３】ディスクトレイを開いた状態のディスクドライブユニットの外観斜視図である。
【図４】ディスクドライブユニットの側断面を示す模式説明図である。（ａ）は、ディスクトレイが閉じた状態を示し、（ｂ）はディスクトレイが開いた状態を示す。
【図５】ディスクドライブユニットとコンピュータとの間で行われる制御に係る制御系を示すブロック図である。
【図６】本実施形態に係るディスクドライブユニットにおける排気ポンプの運転・停止制御プログラムのフローチャートである。
【図７】ディスクドライブユニットのユニット筐体に排気ポンプを直接接続した態様を示す説明図である。
【図８】第２実施形態に係るディスクドライブユニットにおける排気ポンプの運転・停止制御プログラムのフローチャートである。
【符号の説明】
【００４１】
１      ディスクドライブユニット
２      ユニット筐体
３      ディスクトレイ
４      駆動部
５      排気ポンプ
７      トレイ開閉スイッチ
８      気送管
１０      記録ディスク
１６      読取ヘッド
１８      ユニット制御回路
５０      コンピュータ
５１      コンピュータ本体
５４      制御回路
５５      ＣＰＵ
５６      ＲＯＭ
【図１】
2006127676.tif 000003
【図２】
2006127676.tif 000004
【図３】
2006127676.tif 000005
【図４】
2006127676.tif 000006
【図５】
2006127676.tif 000007
【図６】
2006127676.tif 000008
【図７】
2006127676.tif 000009
【図８】
2006127676.tif 000010